(57)【要約】【課題】取付け及び取外しが容易な構成にてコネクタを保護することができるコネクタカバー及び該コネクタカバーを備える照明装置を提供する。【解決手段】相互に接続された第１，第２コネクタを保護すべく、該第１，第２コネクタを内部に収容するコネクタカバー１において、内外に嵌合する円筒部２１，３１を夫々備える第１，第２カバー構成体２，３によりコネクタカバー１を構成し、円筒部２１，３１の嵌合部に相互に係合する係合手段を設けて、該係合手段により第１，第２カバー構成体２，３を一体化しているから、第１，第２カバー構成体２，３を円筒部２１，３１にて相対移動及び／又は相対回転させるという容易な動作にて、係合手段による第１，第２カバー構成体２，３間の係合／係合解除をすることが可能となり、取付け及び取外しを容易に行うことができるとともに、相互に接続された第１，第２コネクタを保護することができる。【選択図】図１
2010015727.tif 000002
【特許請求の範囲】
【請求項１】
相互に接続された第１，第２コネクタを保護すべく、該第１，第２コネクタを内部に収容するコネクタカバーにおいて、前記第１，第２コネクタ夫々の少なくとも一部を収容可能な第１，第２カバー構成体を備え、該第１，第２カバー構成体は、相互に係合する係合手段を有することを特徴とするコネクタカバー。
【請求項２】
前記係合手段は、前記第１，第２カバー構成体の一方に設けられて、他方の側に突出する突起と、該他方に設けられ、可撓性を有し、前記突起に係合する係合片とを備えてなることを特徴とする請求項１に記載のコネクタカバー。
【請求項３】
前記係合片は、一部に狭窄部を有し、その一端が前記一方に向けて開口した略Ｌ字状の切欠き部により形成してあり、前記突起が前記切欠き部の狭窄部を通過するときに弾性変形するように構成してあることを特徴とする請求項２に記載のコネクタカバー。
【請求項４】
光源を有する照明装置本体と電源との間を接続する第１，第２コネクタを有する照明装置において、前記第１，第２コネクタを内部に収容する請求項１から３の何れか一つに記載のコネクタカバーを備えていることを特徴とする照明装置。
【発明の詳細な説明】
【技術分野】
【０００１】
本発明は、コネクタを保護すべく、該コネクタを内部に収容するコネクタカバー及び該コネクタカバーを備える照明装置に関する。
【背景技術】
【０００２】
照明装置等の電気機器は、該電気機器に電力を供給する電源と電力線により電気的に接続してある。この電力線の中途には、相互に接続されるコネクタが設けてあるのが一般的である（例えば、特許文献１参照）。
【０００３】
特許文献１に開示された照明装置は、光源及び該光源を点灯させる点灯装置を有する器具本体と、前記点灯装置に電力を供給するための蓄電池が納装された電池ボックスとを備え、天井等の造営材に穿設した埋込孔に埋設されて用いられる所謂ダウンライトである。点灯装置と電池ボックスとは、一端部に夫々コネクタが配線された電力線により電気的に接続してある。
【特許文献１】特開平１０−３４０６０６号公報
【発明の開示】
【発明が解決しようとする課題】
【０００４】
ところが、特許文献１に係る照明装置は、電力線間を接続するコネクタが外部に曝されているため、鼠等の害獣がコネクタを齧ることにより、故障、感電等の不具合を引き起こす虞があった。また、コネクタに塵埃等の異物が付着することにより発火源になる虞があった。さらには、万が一コネクタ部で発火した場合、周囲に延焼するという虞があった。そこで、コネクタを保護するコネクタカバーを用いることが考えられるが、特許文献１に係る照明装置のように、天井等の造営材の裏側に電力線及びコネクタを設ける場合は特に、照明装置の取付け及び取外しの際に、取付け及び取外しを容易に行うことができるようにコネクタカバーを構成することが好ましい。
【０００５】
本発明は斯かる事情に鑑みてなされたものであり、取付け及び取外しが容易な構成にてコネクタを保護することができるコネクタカバー及び該コネクタカバーを備える照明装置を提供することを目的とする。
【課題を解決するための手段】
【０００６】
本発明に係るコネクタカバーは、相互に接続された第１，第２コネクタを保護すべく、該第１，第２コネクタを内部に収容するコネクタカバーにおいて、前記第１，第２コネクタ夫々の少なくとも一部を収容可能な第１，第２カバー構成体を備え、該第１，第２カバー構成体は、相互に係合する係合手段を有することを特徴とする。
【０００７】
本発明にあっては、第１，第２カバー構成体によりコネクタカバーを構成し、相互に係合する係合手段を設けて、該係合手段により第１，第２カバー構成体を一体化しているから、係合手段を適切に構成することにより、第１，第２カバー構成体を相対移動させるという容易な動作にて、係合手段による第１，第２カバー構成体間の係合／係合解除をすることが可能となり、取付け及び取外しを容易に行うことができるとともに、相互に接続された第１，第２コネクタを保護することができる。
【０００８】
本発明に係るコネクタカバーは、前記係合手段は、前記第１，第２カバー構成体の一方に設けられて、他方の側に突出する突起と、該他方に設けられ、可撓性を有し、前記突起に係合する係合片とを備えてなることを特徴とする。
【０００９】
本発明にあっては、第１，第２カバー構成体の一方に、他方の側に突出する突起を設け、他方に、可撓性を有し、前記突起に係合する係合片を設けているから、突起と係合片との係合／係合解除をするという容易な動作により第１，第２カバー構成体間の係合／係合解除をすることができ、取付け及び取外しを容易に行うことができるとともに、相互に接続された第１，第２コネクタを保護することができる。また突起及び係合片を適切に構成することにより、係合片の弾性変形を利用して第１，第２カバー構成体間の係合が解除されないように固定することが可能となる。
【００１０】
本発明に係るコネクタカバーは、前記係合片は、一部に狭窄部を有し、その一端が前記一方に向けて開口した略Ｌ字状の切欠き部により形成してあり、前記突起が前記切欠き部の狭窄部を通過するときに弾性変形するように構成してあることを特徴とする。
【００１１】
本発明にあっては、第１，第２カバー構成体を相対移動させて、突起を略Ｌ字状の切欠き部に沿って移動させ、狭窄部の通過時に係合片を弾性変形させている。狭窄部の通過時に係合片を弾性変形させるために所定の力が必要となるから、第１，第２カバー構成体間の係合が解除されないように固定することができる。
【００１２】
本発明に係る照明装置は、光源を有する照明装置本体と電源との間を接続する第１，第２コネクタを有する照明装置において、前記第１，第２コネクタを内部に収容する前述の発明に記載のコネクタカバーを備えていることを特徴とする。
【００１３】
本発明にあっては、照明装置本体と電源との間を接続する電力線に前述の発明に記載のコネクタカバーを用いているから、コネクタカバーの取付け及び取外しを容易に行うことができるとともに、相互に接続された状態の第１，第２コネクタを保護することができる。
【発明の効果】
【００１４】
本発明によれば、コネクタカバーの取付け及び取外しを容易に行うことができるとともに、コネクタを保護することができる。
【発明を実施するための最良の形態】
【００１５】
以下、本発明をその実施の形態を示す図面に基づいて詳述する。
（実施の形態１）
図１は、本発明の実施の形態１に係るコネクタカバー１の模式的外観斜視図である。コネクタを保護すべく、該コネクタを内部に収容するコネクタカバー１は、第１カバー構成体２と、該第１カバー構成体２に一部にて外嵌する第２カバー構成体３とを備えてなる。図２は、第１カバー構成体２の模式的外観図である。図２（ａ）は正面図であり、図２（ｂ）は図２（ａ）のII−II線による矢視図である。図３は、第２カバー構成体３の模式的外観図である。図３（ａ）は正面図であり、図３（ｂ）は図３（ａ）の III−III 線による矢視図である。
【００１６】
第１カバー構成体２は、円筒形状を有し、コネクタの少なくとも一部を収容するとともに、一側端部にて第２カバー構成体３に嵌合する円筒部２１と、該円筒部２１の他側に連設され、コネクタが一端に設けられたリード線等の電力線又は該電力線の保護チューブを外嵌保持する保持部２２とを備えている。なお、円筒部２１と保持部２２との連結部は、円筒部２１から保持部２２に向けて連続的に縮径してある。
【００１７】
円筒部２１には、図２（ｂ）に示すように、半球状に突出する突起２３，２３が周方向に２等配をなして設けてある。なお、突起２３，２３は、以下に述べる第２カバー構成体３に設けられた係合手段に係合するように、適切な軸長方向長さＬになるようにしてある。
【００１８】
円筒部２１の一側に連設された保持部２２は、円筒部２１よりも小さい直径を有する円筒状である。なお、円筒部２１の直径は、内部に収容されるコネクタの寸法に応じて、保持部２２の直径は、電力線又は該電力線の保護チューブの径に応じて決定してある。
【００１９】
第２カバー構成体３は、円筒形状を有し、一側端部にて第１カバー構成体２の円筒部２１に外嵌する円筒部３１と、該円筒部３１の他側に連設され、コネクタの少なくとも一部を収容する収容部３２と、該収容部３２の円筒部３１の逆側に連設され、コネクタが一端に設けられたリード線等の電力線又は該電力線の保護チューブを外嵌保持する保持部３３とを備えている。なお、収容部３２と保持部３３との連結部は、収容部３２から保持部３３に向けて連続的に縮径してある。
【００２０】
円筒部３１の内径は、第１カバー構成体２の円筒部２１の外径よりも大となるようにしてある。円筒部３１の端縁には、図３（ａ）に示すように、その一端が円筒部３１の端部に開口させてある略Ｌ字状の切欠き部３４，３４が周方向に２等配をなして設けてある。切欠き部３４，３４は、一辺が円筒部３１の軸長方向に、他辺が円筒部３１の端縁に離隔して周方向に沿うように形成してある。切欠き部３４，３４には、他の部分の幅Ｗよりも狭い幅Ｗs を有する狭窄部３４ａ，３４ａが設けてある（Ｗs ＜Ｗ）。切欠き部３４，３４の狭窄部３４ａ，３４ａの幅Ｗs は、突起２３，２３の軸長方向長さＬよりも僅かに小さくなるようにしてある（Ｗs ＜Ｌ）。なお、突起２３，２３の軸長方向長さＬは、切欠き部３４，３４の他の部分の幅Ｗよりも小さくなるようにしてある（Ｌ＜Ｗ）。
【００２１】
この切欠き部３４，３４により、第１カバー構成体２に設けられた突起２３，２３と係合する係合片３５，３５が形成してある。係合片３５，３５は、切欠き部３４，３４の狭窄部３４ａ，３４ａにより形成され、軸長方向に突出する凸部３５ａ，３５ａを有している。なお、切欠き部３４，３４は、切削加工により形成してもよいし、一体成形により形成してもよい。
【００２２】
円筒部３１の他側に連設された収容部３２は、円筒部３１よりも小さい直径を有する円筒状である。収容部３２の円筒部３１との逆側に連設された保持部３３は、収容部３１よりも小さい直径を有する円筒状である。なお、収容部３２の直径は、内部に収容されるコネクタの寸法に応じて、保持部３３の直径は、電力線又は該電力線の保護チューブの径に応じて決定してある。
【００２３】
図４は、第１カバー構成体２と第２カバー構成体３とを固定するコネクタカバー１の固定手順の説明図である。まず、第１カバー構成体２の突起２３，２３と第２カバー構成体３の切欠き部３４，３４との周方向位置を一致させ、突起２３，２３が切欠き部３４，３４に沿って移動するように該切欠き部３４，３４をガイドとして、図４（ａ）に白抜き矢符にて示すように、第２カバー構成体３の円筒部３１に、第１カバー構成体２を円筒部２１の側から差し込む。
【００２４】
次に、図４（ｂ）に白抜き矢符にて示すように、突起２３，２３が切欠き部３４，３４に沿って移動するように該切欠き部３４，３４をガイドとして、第１カバー構成体２を第２カバー構成体３に対して相対回転させる。この相対回転により、第１カバー構成体２の突起２３，２３が第２カバー構成体３の切欠き部３４，３４の狭窄部３４ａ，３４ａに達したとき、係合片３５，３５の凸部３５ａ，３５ａと突起２３，２３とが当接する。このとき凸部３５ａ，３５ａが突起２３，２３から当接面に直交する方向の力（径方向外向きの分力を含む）を受け、図４（ｂ）に示すように、係合片３５，３５が当接面に直交する方向に弾性変形する。このとき、突起２３，２３には、逆作用として当接面に直交する逆方向の力（径方向内向きの分力を含む）が働く。
【００２５】
さらに、この力に逆らって第１カバー構成体２を第２カバー構成体３に対して相対回転させる。第１カバー構成体２の突起２３，２３が第２カバー構成体３の切欠き部３４，３４の狭窄部３４ａ，３４ａを通過したとき、係合片３５，３５の凸部３５ａ，３５ａに作用していた力がなくなるから、図１に示すように、係合片３５，３５は自然状態に復帰して第１，第２カバー構成体２，３が一体化される。狭窄部３４ａ，３４ａの通過時に係合片３５，３５を弾性変形させるために所定の力が必要となるから、コネクタカバー１は、第１，第２カバー構成体２，３間の係合が解除されないように固定されることになる。
【００２６】
以上のように構成された実施の形態１に係るコネクタカバー１は、第１カバー構成体２の円筒部２１に、第２カバー構成体３の円筒部３１の側に突出する突起２３，２３を設け、第２カバー構成体３の円筒部３１の端縁に、可撓性を有し、突起２３，２３に係合する係合片３５，３５を設けて、第１，第２カバー構成体２，３を円筒部２１，３１にて相対移動及び相対回転させて、突起２３，２３と係合片３５，３５との係合／係合解除をすることより第１，第２カバー構成体２，３間の係合／係合解除をするように構成してあるから、第１，第２カバー構成体２，３を相対移動及び相対回転させるという容易な動作にて、取付け及び取外しを容易に行うことができるとともに、内部に収容されるコネクタを鼠等の害獣が齧らないように、また塵埃等の異物が付着しないように保護することができる。さらには、万が一コネクタ部で発火した場合、周囲への延焼を防止することができる。
【００２７】
また、第１，第２カバー構成体２，３を相対移動及び相対回転させて、突起２３，２３を略Ｌ字状の切欠き部３４，３４に沿って移動させ、狭窄部３４ａ，３４ａの通過時に係合片３５，３５を弾性変形させるようにしてあるから、狭窄部３４ａ，３４ａの通過時に係合片３５，３５を弾性変形させるために所定の力が必要となり、第１，第２カバー構成体２，３間の係合が解除されないように固定することができる。
【００２８】
内側の第１カバー構成体２の円筒部２１に第２カバー構成体３の円筒部３１の側に突出する突起２３，２３を、外側の第２カバー構成体３の円筒部３１に係合片３５，３５を設けているから、突起２３，２３と係合片３５，３５の係合状態を視認しつつ第１，第２カバー構成体２，３間の係合／係合解除をすることができ、取付け及び取外しの作業がより容易となる。
【００２９】
なお、本実施の形態においては、内側の第１カバー構成体２の円筒部２１に第２カバー構成体３の円筒部３１の側（外側）に突出する突起２３，２３を、外側の第２カバー構成体３の円筒部３１に係合片３５，３５を設けているが、これに限定されず、逆にしてもよい。即ち、内側の第１カバー構成体の円筒部に係合片を、外側の第２カバー構成体の円筒部に第１カバー構成体の円筒部の側（内側）に突出する突起を設けてもよい。この場合、コネクタカバー１の表面に凹凸がなく、外観が良好となる。また、係合手段が外部に曝されていないから、塵埃等の異物が付着せず、長期間経たのちの取外し作業も支障なく行うことができる。
【００３０】
このコネクタカバー１は、例えば、天井に開口された取付孔に取付けられるダウンライト等の照明装置と電源とを接続するコネクタを保護すべく用いられる。以下、照明装置として、天井に設けられ、部屋を局所的に照明するダウンライトを例に説明する。図５は、実施の形態１に係るコネクタカバー１を備える照明装置１０の外観斜視図である。図６は、照明装置１０の模式的側面図であり、一部を部分断面にて示している。図７は、図６の VII−VII 線による矢視図であり、一部を部分断面にて示している。
【００３１】
図において４は、アルミニウム等の金属製の放熱器である。放熱器４は、図６に示すように、略円板状の伝熱板４１を有しており、伝熱板４１の一面４１ａには、矩形板状の複数の放熱板４２，４２…が平行をなして立設してあり、これら複数の放熱板４２，４２…の略中央を通り、該複数の放熱板４２，４２…に直交するように連結板４３が立設してある。なお、連結板４３は、図７に示す如く、伝熱板４１の中央部を避けるように形成してあり、伝熱板４１の中央部には配線用の貫通孔４１ｃが設けてある。
【００３２】
放熱器４の伝熱板４１の周縁部には、矩形板状の固定部４４，４４…が伝熱板４１の径方向に直交するように、周方向に３等配をなして立設してある。固定部４４，４４…は、複数の放熱板４２，４２…に夫々連設されて一体的に構成されており、一つの固定部４４が放熱板４２，４２…に直角をなして連設されるように配してある。
【００３３】
放熱器４の伝熱板４１の他面４１ｂには、光源としての複数（図において６つ）のＬＥＤモジュール５，５…が周方向に等配をなして取付けてある。ＬＥＤモジュール５は、矩形のセラミック（例えば、酸化アルミニウム）基板の一面の中央部に密集して実装された複数のＬＥＤ素子を、蛍光体が分散された封止樹脂により封止してなる。なお、ＬＥＤモジュール５，５…と伝熱板４１との間には、熱伝導シート又はグリースが介装してある。これらＬＥＤモジュール５，５…の点灯に伴い該ＬＥＤモジュール５，５…にて発生する熱は、放熱器４の伝熱板４１、放熱板４２，４２…及び連結板に伝達され、自然対流により外部へ放散されることになる。
【００３４】
放熱器４の伝熱板４１の他面４１ｂの側には、反射板６が設けてある。反射板６には、該反射板６を放熱器４に取付けたときにＬＥＤモジュール５，５…に対応する位置に、ＬＥＤモジュール５，５…を取り囲むように、略半球状の凹部を有する複数の反射部６１，６１…が形成してある。
【００３５】
反射板６の周縁部には、略円柱状の凹部６２，６２…が設けてある。また、反射板６の周縁には、周壁６３が立設してあり、反射板６は周壁６３の端面を伝熱板４１に当接させて、ネジ６５，６５…を反射板６の凹部６２，６２…に設けられた貫通孔に挿通させ、伝熱板４１に設けられたネジ穴に螺合させることにより放熱器４に固定してある。ＬＥＤモジュール５，５…からの光は、この反射板６の反射部６１，６１…にて反射されて、ＬＥＤモジュール５，５…の光軸となす角度が所定角度以下になる範囲に含まれることになり、照明装置１０の直下照度が強くなるように配光特性が制御された光が照明装置１０から出射されることになる。
【００３６】
放熱器４の伝熱板４１の側には、フレーム７が設けてある。フレーム７は、円筒部７１と、円筒部７１の一端から直交する方向に径方向に延設された環状の鍔部７２とを有してなる。円筒部７１には、周方向の３カ所から鍔部７２の逆側に延設された延設部７１ａ，７１ａ…が設けてある。
【００３７】
このフレーム７は、円筒７１の他端の側に反射板６を内嵌させて、延設部７１ａ，７１ａ…を放熱器４の固定部４４，４４…に当接させた状態にて、ネジ７３，７３…を延設部７１ａ，７１ａ…に設けられた貫通孔に挿通させ、放熱器４の固定部４４，４４…に設けられたネジ穴に螺合させることにより放熱器４に固定してある。フレーム７の鍔部７２の内面には、ＬＥＤモジュール５，５…を覆うように、円板状の樹脂製の透過板７０が取付けてある。透過板７０は、例えば、ポリカーボネート樹脂製である。
【００３８】
また、放熱器４には、複数の板ばね７５，７５…が設けてある。板ばね７５は、ステンレス鋼等の金属製であり、細長い矩形板を屈曲させて、図６に示すようにＶ字状に形成してある。板ばね７５の一側には、矩形板状の固定部７５ａが設けてあり、屈曲部７５ｂを挟んだ板ばね７５の他側には、固定部７５ａの側に凸状に湾曲し、板ばね７５の長手方向に沿う断面形状が円弧状である第１の押圧部７５ｃ及び第２の押圧部７５ｄが連設してある。また、板ばね７５の他側の端部には、第２の押圧部７５ｄに連設された腕部の端部から該腕部に角度をなして固定部７５ａの逆側に折り曲げられてなる抜止部７５ｅが設けてある。なお、抜止部７５ｅは、板ばね７５の第１の押圧部７５ｃ及び第２の押圧部７５ｄが天井に当接しない状態において、照明装置１０の落下を防止するために設けてある。
【００３９】
このような板ばね７５，７５…は、ネジ４５，４５…を板ばね７５，７５…の固定部７５ａ，７５ａ…に設けられた貫通孔に挿通させ、放熱器４の固定部４４，４４…に設けられたネジ穴に螺合させることにより、固定部４４，４４…に板ばね７５，７５…の固定部７５ａ，７５ａ…を密着させた状態にて、周方向に３等配をなして放熱器４に固定してある。
【００４０】
放熱器４の外側から二枚目の放熱板４２，４２には、取付板７７，７７が夫々放熱板４２，４２と平行をなしてネジ７８，７８…により固定してある。取付板７７，７７の上部には、該取付板７７，７７に直角をなして円板７９が取付けてある。この円板７９は、照明装置本体１０ａ、特に放熱板４２，４２…の間に埃、水滴等の異物が入り込むことを防止すべく設けてある。
【００４１】
以上のように構成された照明装置１０は、透過板７０の側を下側にして、板ばね７５，７５…の抜止部７５ｅの側を照明装置本体１０ａの側に押し付けた状態にて、図５中に二点鎖線にて示す天井１００に設けられた取付孔１００ａに下側から挿入し、板ばね７５，７５…から手を離し照明装置本体１０ａをさらに押し込むことにより、天井１００に設けられた取付孔１００ａに板ばね７５，７５…を介して固定され、所謂ダウンライトとして用いられる。
【００４２】
この照明装置１０は、ＬＥＤモジュール５，５…に、照明装置本体１０ａの外部に設けられた電源モジュールに設けられた電源部を介して外部電源から電力が供給されるように構成してある。
【００４３】
図８は、電源モジュールの外観図であり、一部を部分断面にて示している。電源モジュール９は、直方体状の外形を有する電源カバー９０と、該電源カバー９０の内部に収容され、トランス、抵抗、コンデンサ等の各種回路部品を有してなる電源部９１と、該電源部９１に接続された端子台９２と、該端子台９２を収容し、電源カバー９０の一側に外嵌される端子カバー９３とを備えてなる。
【００４４】
電源モジュール９の電源部９１には、電力線であるリード線９４，９４…の一端が接続してあり、リード線９４，９４…の他端は、図８に示す如く、第１コネクタであるメスコネクタ８１に接続してある。メスコネクタ８１は、扁平な直方体形状を有し、複数（図において４つ）の凹部を有する接続端子である。リード線９４，９４…は、保護チューブ８２により一本に纏められており、該保護チューブ８２の外周面には、金属製の保護スプリング８３が外嵌させてある。これらの保護チューブ８２及び保護スプリング８３は、鼠等の害獣によりリード線９４，９４…が齧られることを防止すべく設けてある。
【００４５】
一方、ＬＥＤモジュール５，５…には、伝熱板４１の中央部に設けられた貫通孔４１ｃを挿通させた複数のリード線５１，５１…の一端が接続してあり、リード線５１，５１…の他端は、図７に示す如く、第２コネクタであるオスコネクタ８６に接続してある。オスコネクタ８６は、扁平な直方体形状を有し、メスコネクタ８１の凹部に嵌合可能な凸部を有する接続端子である。オスコネクタ８６側のリード線５１，５１…は、保護チューブ８７により一本に纏められており、該保護チューブ８７の外周面には、金属製の保護スプリング８８が外嵌させてある。これらの保護チューブ８７及び保護スプリング８８は、鼠等の害獣によりリード線５１，５１…が齧られることを防止すべく設けてある。
【００４６】
このようなメスコネクタ８１及びオスコネクタ８６には、本発明に係るコネクタカバー１の第１カバー構成体２及び第２カバー構成体３が夫々設けてある。第１カバー構成体２は、図８に示すように、円筒部２１の側がメスコネクタ８１に、保持部２２の側が電源モジュール９に接続されるリード線９４，９４…の一端の側になるように、保護チューブ８２及び保護スプリング８３を内部に挿通させて、メスコネクタ８１の少なくとも一部を内部に収容可能なように設けてある。なお、保護チューブ８２の両端には、リード線及び保護チューブ８２を結束する結束バンド８４，８４（所謂インシュロック）が取付けてある。これらの結束バンド８４，８４は、電源カバー９０及び第１カバー構成体２の内部に夫々設けてあり、保護チューブ８２が電源カバー９０及び第１カバー構成体２から抜け出るのを防いでいる。
【００４７】
第２カバー構成体３は、図７に示すように、円筒部３１の側がオスコネクタ８６に、保持部３３の側がＬＥＤモジュール５，５…に接続されるリード線５１，５１…の一端の側になるように、保護チューブ８７及び保護スプリング８８を内部に挿通させて、オスコネクタ８６の少なくとも一部を内部に収容可能なように設けてある。なお、保護チューブ８７の両端には、リード線及び保護チューブ８７を結束する結束バンド８９，８９（所謂インシュロック）が取付けてある。オスコネクタ８６の側の結束バンド８９は、第２カバー構成体３の内部に収容されるように設けてあり、保護チューブ８７が第２カバー構成体３から抜け出るのを防いでいる。
【００４８】
電源モジュール９に接続されたメスコネクタ８１とＬＥＤモジュール５，５…に接続されたオスコネクタ８６とを嵌合させる。この結果、照明装置本体１０ａの外部に設けられた電源部９１がリード線９４，９４…，５１，５１…を介してＬＥＤモジュール５，５…に接続されることになる。この後、前述した如く、コネクタカバー１の第１カバー構成体２の円筒部２１を第２カバー構成体３の円筒部３１に差し込み、係合手段である突起２３，２３及び係合片３５，３５を係合させることにより、コネクタカバー１を一体化させる。なお、第１カバー構成体２及び第２カバー構成体３は、相互に接続された状態のメスコネクタ８１及びオスコネクタ８６を内部に収容可能なように、適切に形成してある。
【００４９】
なお、コネクタのオス、メス形状又は方式は、仕様の異なる機種では異なるものとしてあり、これにより照明装置と電源モジュールとの組み合わせを混同する虞がなくなる。特に２機種のみのラインナップの場合は、Ａ機種照明装置の照明装置本体側のコネクタをオス形状に、電源モジュール側のコネクタをメス形状とし、Ｂ機種照明装置の照明装置本体側のコネクタをメス形状に、電源モジュール側のコネクタをオス形状とするだけでもよい。
【００５０】
以上により、メスコネクタ８１及びオスコネクタ８６がコネクタカバー１の内部に収容されることになり、鼠等の害獣が齧らないように、また塵埃等の異物が付着しないように、メスコネクタ８１及びオスコネクタ８６を保護することができ、さらには、万が一コネクタ部で発火した場合、周囲への延焼を防止することができるので、これに起因した照明装置の故障、感電等の不具合および火災を防止することができる。
【００５１】
また、前述した第１，第２カバー構成体２，３を相対移動及び相対回転させる作業は、片手にて可能な容易な作業であるから、上述した照明装置１０のように、天井に設けられた取付孔に設置し、天井の裏側に電力線及びコネクタを設ける照明装置の場合は特に、照明装置の取付け及び取外しの作業性の向上に資する。
【００５２】
（実施の形態２）
実施の形態１に係るコネクタカバー１は、照明装置本体１０ａと別体に構成してあるが、コネクタカバーを照明装置本体と一体的に構成することも可能である。図９は、コネクタカバーと照明装置本体とを一体的に構成した例を示す図である。
【００５３】
放熱器４の伝熱板４１に立設された３枚の放熱板４２，４２…には、図９に示すように、円筒状の円筒部３６を有する第２カバー構成体３ａが一体的に設けてある。この円筒部３６には、実施の形態１に係るコネクタカバー１の第２カバー構成体３と同様に、切欠き部３４，３４及び係合片３５が設けてある。その他の構成は、図１乃至図８に示す実施の形態１と同様であるため、対応する構成部材に同一の参照符号を付して、その構成の詳細な説明を省略する。
【００５４】
この構成において、まず、メスコネクタ８１とオスコネクタ８６とを接続する。次に、実施の形態１において述べたコネクタカバー１と同様に、第１カバー構成体２の円筒部２１を第２カバー構成体３ａの円筒部３６に差し込み、係合手段である突起２３，２３及び係合片３５，３５を係合させることにより、第１カバー構成体２と第２カバー構成体３ａとを一体化する。
【００５５】
以上により、メスコネクタ８１及びオスコネクタ８６がコネクタカバーの内部に収容されることになり、鼠等の害獣が齧らないように、また塵埃等の異物が付着しないように、メスコネクタ８１及びオスコネクタ８６を保護することができ、さらには、万が一コネクタ部で発火した場合、周囲への延焼を防止することができるので、これに起因した照明装置の故障、感電等の不具合および火災を防止することができる。
【００５６】
また、第１，第２カバー構成体２，３ａを相対移動及び相対回転させる作業は、片手にて可能な容易な作業であるから、天井に設けられた取付孔に設置し、天井の裏側に電力線及びコネクタを設ける照明装置の場合は特に、照明装置の取付け及び取外しの作業性の向上に資する。
【００５７】
なお、本実施の形態においては、第２カバー構成体３ａの円筒部３６に係合片３５，３５を設けているが、これに限定されず、逆にしてもよい。即ち、内側の第１カバー構成体の円筒部に係合片を、外側の第２カバー構成体の円筒部に第１カバー構成体の円筒部の側（内側）に突出する突起を設けてもよい。この場合、コネクタカバーの表面に凹凸がなく、外観が良好となる。また、係合手段が外部に曝されていないから、塵埃等の異物が付着せず、長期間経たのちの取外し作業も支障なく行うことができる。
【００５８】
なお、係合片及び突起の形状は、以上の実施の形態において述べた形状に限定されず、相互に係合可能な形状であればよい。また、以上の実施の形態においては、係合片を円筒部に設けた切欠き部により形成してあるが、これに限定されず、円筒状の円筒部から突設させて形成してもよい。
【００５９】
また、以上の実施の形態においては、光源として複数のＬＥＤ素子が実装されてなるＬＥＤモジュール３，３…を用いているが、これに限定されず、高輝度のＬＥＤチップ、ＥＬ（Ｅｌｅｃｔｒｏ  Ｌｕｍｉｎｅｓｃｅｎｃｅ）、蛍光灯、電球等を用いてもよい。
【００６０】
また、以上の実施の形態おいては、ダウンライトにコネクタカバーを用いた例について述べたが、ダウンライトに限定されず、他のタイプの照明装置、照明装置以外の電気機器にも適用可能であり、その他、特許請求の範囲に記載した事項の範囲内において種々変更した形態にて実施することが可能であることは言うまでもない。
【図面の簡単な説明】
【００６１】
【図１】本発明の実施の形態１に係るコネクタカバーの模式的外観斜視図である。
【図２】第１カバー構成体の模式的外観図である。
【図３】第２カバー構成体の模式的外観図である。
【図４】コネクタカバーの固定手順の説明図である。
【図５】実施の形態１に係るコネクタカバーを備える照明装置の外観斜視図である。
【図６】照明装置の模式的側面図である。
【図７】図６の VII−VII 線による矢視図である。
【図８】電源モジュールの外観図である。
【図９】コネクタカバーと照明装置本体とを一体的に構成した例を示す図である。
【符号の説明】
【００６２】
１  コネクタカバー
２  第１カバー構成体
２１  円筒部
２３  突起（係合手段）
３，３ａ  第２カバー構成体
３１  円筒部
３５  係合片（係合手段）
３４  切欠き部
３４ａ  狭窄部
８１  メスコネクタ（第１コネクタ）
８６  オスコネクタ（第２コネクタ）
【図１】
2010015727.tif 000003
【図２】
2010015727.tif 000004
【図３】
2010015727.tif 000005
【図４】
2010015727.tif 000006
【図５】
2010015727.tif 000007
【図６】
2010015727.tif 000008
【図７】
2010015727.tif 000009
【図８】
2010015727.tif 000010
【図９】
2010015727.tif 000011